(57)【要約】  情報処理装置は、電子機器と接続可能な情報処理装置であって、前記電子機器の接続を検出する接続部と、前記電子機器の第１の識別情報または第２の識別情報を記憶する記憶部と、前記電子機器の要求に応じて前記第１の識別情報または前記第２の識別情報のいずれかを提供する提供部と、を備え、前記提供部は、前記記憶部に前記要求に応じた前記第１の識別情報が記憶されていないとき、または前記第１の識別情報が取得できないときに、前記第２の識別情報を前記電子機器に提供する。
2017073234.tif 000002
【特許請求の範囲】
【請求項１】
電子機器と接続可能な情報処理装置であって、
前記電子機器の接続を検出する接続部と、
前記電子機器の第１の識別情報または第２の識別情報を記憶する記憶部と、
前記電子機器の要求に応じて前記第１の識別情報または前記第２の識別情報のいずれかを提供する提供部と、
を備え、
前記提供部は、前記記憶部に前記要求に応じた前記第１の識別情報が記憶されていないとき、または前記第１の識別情報が取得できないときに、前記第２の識別情報を前記電子機器に提供する
情報処理装置。
【請求項２】
電子機器と接続可能な情報処理装置であって、
前記電子機器の接続を検出する接続部と、
前記電子機器の第１の識別情報または第２の識別情報を取得する取得部と、
前記電子機器の要求に応じて前記電子機器の第１の識別情報または第２の識別情報のいずれかを提供する提供部と、
を備え、
前記提供部は、前記要求に応じた前記第１の識別情報が取得されていないとき、または前記第１の識別情報が取得できないときに、前記第２の識別情報を前記電子機器に提供する
情報処理装置。
【請求項３】
前記提供部には更新部が含まれ、
前記更新部は、前記第２の識別情報に基づいて前記電子機器が取得した第３の識別情報を、前記第１の識別情報として更新する
請求項１または請求項２に記載の情報処理装置。
【請求項４】
前記提供部には更新部が含まれ、
前記更新部は、前記要求に基づいて提供装置から第３の識別情報を取得し、取得した前記第３の識別情報を、前記第１の識別情報として更新する
請求項１または請求項２に記載の情報処理装置。
【請求項５】
前記提供部は、前記電子機器に前記第２の識別情報を提供する場合には、前記電子機器に前記第２の識別情報を提供した後に第３の識別情報を提供し、
前記電子機器は、少なくとも前記第３の識別情報を用いて通信する
請求項１から請求項４のいずれか一項に記載の情報処理装置。
【請求項６】
電子機器と接続可能な第１の識別情報または第２の識別情報を記憶する記憶部を備える情報処理装置の情報処理方法であって、
前記電子機器の接続を検出する接続過程と、
前記電子機器の要求に応じて前記第１の識別情報または前記第２の識別情報のいずれかを提供する提供過程と、
を有し、
前記提供過程は、前記記憶部に前記要求に応じた前記第１の識別情報が記憶されていないとき、または前記第１の識別情報が取得できないときに、前記第２の識別情報を前記電子機器に提供する
情報処理方法。
【請求項７】
電子機器と接続可能な情報処理装置の情報処理方法であって、
前記電子機器の接続を検出する接続過程と、
前記電子機器の第１の識別情報または第２の識別情報を取得する取得過程と、
前記電子機器の要求に応じて前記電子機器の第１の識別情報または第２の識別情報のいずれかを提供する提供過程と、
を有し、
前記提供過程は、前記要求に応じた前記第１の識別情報が取得されていないとき、または前記第１の識別情報が取得できないときに、前記第２の識別情報を前記電子機器に提供する
情報処理方法。
【請求項８】
電子機器と接続可能な第１の識別情報または第２の識別情報を記憶する記憶部を備える情報処理装置のコンピュータが、
前記電子機器の接続を検出する接続ステップと、
前記電子機器の要求に応じて前記第１の識別情報または前記第２の識別情報のいずれかを提供する提供ステップと、
を実行し、
前記提供ステップは、前記記憶部に前記要求に応じた前記第１の識別情報が記憶されていないとき、または前記第１の識別情報が取得できないときに、前記第２の識別情報を前記電子機器に提供する
プログラム。
【請求項９】
電子機器と接続可能な情報処理装置コンピュータが、
前記電子機器の接続を検出する接続ステップと、
前記電子機器の第１の識別情報または第２の識別情報を取得する取得ステップと、
前記電子機器の要求に応じて前記電子機器の第１の識別情報または第２の識別情報のいずれかを提供する提供ステップと、
を実行し、
前記提供ステップは、前記要求に応じた前記第１の識別情報が取得されていないとき、または前記第１の識別情報が取得できないときに、前記第２の識別情報を前記電子機器に提供する
プログラム。
【発明の詳細な説明】
【技術分野】
【０００１】
本発明のいくつかの態様は、情報処理装置、情報処理方法、及びプログラムに関する。
本願は、２０１５年１０月３０日に、日本に出願された特願２０１５−２１４４４４号に基づき優先権を主張し、その内容をここに援用する。
【背景技術】
【０００２】
携帯電話などの電子機器では、ＳＩＭ（Ｓｕｂｓｃｒｉｂｅｒ  Ｉｄｅｎｔｉｔｙ  Ｍｏｄｕｌｅ  Ｃａｒｄ）カードなどの加入者を特定するためのＩＤ番号などの識別情報が記録されたＩＣカードを用いることで、他の電子機器やネットワークに接続して通信するものがある。
このような電子機器には、例えば、携帯電話の内蔵メモリ及び携帯電話から着脱可能な記憶媒体の記憶内容を一括して変更する変更メールを、リモートコントロールセンタから掲題電話に送信し、該変更メールを受信した携帯電話が内蔵メモリ及び記憶媒体の記憶内容を一括して更新するものがある（例えば、特許文献１）。
【先行技術文献】
【特許文献】
【０００３】
【特許文献１】特開２００２−１１１８８８号公報
【発明の概要】
【発明が解決しようとする課題】
【０００４】
特許文献１に記載の技術では、携帯電話がリモートコントロールセンタと通信できることが前提となっている。しかしながら、特許文献１に記載の技術では、契約終了などによりネットワークに接続できないＳＩＭカードや、ネットワークに接続する際に必要な識別情報を記憶していないＳＩＭカードなどと接続された携帯電話が、該ＳＩＭカードから識別情報を取得して該ＳＩＭカードの内容を更新することができないことがあった。
このように、電子機器と接続された記憶媒体の記憶内容を変更、更新することができないことがあった。【０００５】
本発明のいくつかの態様は、上記した事情に鑑みてなされたもので、電子機器と接続された記憶媒体の記憶内容を変更、更新することができる情報処理装置、情報処理方法、及びプログラムを提供することを目的とする。
【課題を解決するための手段】
【０００６】
本発明の第１の態様は、上記目的を鑑みてなされたものであり、電子機器と接続可能な情報処理装置であって、前記電子機器の接続を検出する接続部と、前記電子機器の第１の識別情報または第２の識別情報を記憶する記憶部と、前記電子機器の要求に応じて前記第１の識別情報または前記第２の識別情報のいずれかを提供する提供部と、を備え、前記提供部は、前記記憶部に前記要求に応じた前記第１の識別情報が記憶されていないとき、または前記第１の識別情報が取得できないときに、前記第２の識別情報を前記電子機器に提供する情報処理装置である。【０００７】
本発明の第２の態様は、上記目的を鑑みてなされたものであり、電子機器と接続可能な情報処理装置であって、前記電子機器の接続を検出する接続部と、前記電子機器の第１の識別情報または第２の識別情報を取得する取得部と、前記電子機器の要求に応じて前記電子機器の第１の識別情報または第２の識別情報のいずれかを提供する提供部と、を備え、前記提供部は、前記要求に応じた前記第１の識別情報が取得されていないとき、または前記第１の識別情報が取得できないときに、前記第２の識別情報を前記電子機器に提供する情報処理装置である。【０００８】
本発明の第３の態様は、上記目的を鑑みてなされたものであり、電子機器と接続可能な第１の識別情報または第２の識別情報を記憶する記憶部を備える情報処理装置の情報処理方法であって、前記電子機器の接続を検出する接続過程と、前記電子機器の要求に応じて前記第１の識別情報または前記第２の識別情報のいずれかを提供する提供過程と、を有し、前記提供過程は、前記記憶部に前記要求に応じた前記第１の識別情報が記憶されていないとき、または前記第１の識別情報が取得できないときに、前記第２の識別情報を前記電子機器に提供する情報処理方法である。【０００９】
本発明の第４の態様は、上記目的を鑑みてなされたものであり、電子機器と接続可能な情報処理装置の情報処理方法であって、前記電子機器の接続を検出する接続過程と、前記電子機器の第１の識別情報または第２の識別情報を取得する取得過程と、前記電子機器の要求に応じて前記電子機器の第１の識別情報または第２の識別情報のいずれかを提供する提供過程と、を有し、前記提供過程は、前記要求に応じた前記第１の識別情報が取得されていないとき、または前記第１の識別情報が取得できないときに、前記第２の識別情報を前記電子機器に提供する情報処理方法である。【００１０】
本発明の第５の態様は、上記目的を鑑みてなされたものであり、電子機器と接続可能な第１の識別情報または第２の識別情報を記憶する記憶部を備える情報処理装置のコンピュータが、前記電子機器の接続を検出する接続ステップと、前記電子機器の要求に応じて前記第１の識別情報または前記第２の識別情報のいずれかを提供する提供ステップと、を実行し、前記提供ステップは、前記記憶部に前記要求に応じた前記第１の識別情報が記憶されていないとき、または前記第１の識別情報が取得できないときに、前記第２の識別情報を前記電子機器に提供するプログラムである。【００１１】
本発明の第６の態様は、上記目的を鑑みてなされたものであり、電子機器と接続可能な情報処理装置コンピュータが、前記電子機器の接続を検出する接続ステップと、前記電子機器の第１の識別情報または第２の識別情報を取得する取得ステップと、前記電子機器の要求に応じて前記電子機器の第１の識別情報または第２の識別情報のいずれかを提供する提供ステップと、を実行し、前記提供ステップは、前記要求に応じた前記第１の識別情報が取得されていないとき、または前記第１の識別情報が取得できないときに、前記第２の識別情報を前記電子機器に提供するプログラムである。
【発明の効果】
【００１２】
本発明のいくつかの態様によれば、電子機器と接続された記憶媒体の記憶内容を変更、更新することができる。
【図面の簡単な説明】
【００１３】
【図１】本発明の第１の実施形態に係る通信システムの構成の一例を示す概略図である。
【図２】本発明の第１の実施形態に係るＳＩＭ切替装置の機能構成の一例を示す概略ブロック図である。
【図３】本発明の第１の実施形態に係るＳＩＭ識別情報の一例を示す説明図である。
【図４】本発明の第１の実施形態に係る処理の一例を示すフローチャートである。
【図５】本発明の第２の実施形態に係るＳＩＭ切り替え装置の機能構成の一例を示す概略ブロック図である。
【図６】本発明の第３の実施形態に係る通信システムの構成の一例を示す概略図である。
【図７】本発明の第３の実施形態に係るＳＩＭ切替装置の機能構成の一例を示す概略ブロック図である。
【図８】本発明の第１の実施形態に係る処理の一例を示すフローチャートである。
【発明を実施するための形態】
【００１４】
以下、図面を参照しながら本発明の実施形態について詳しく説明する。
【００１５】
（第１の実施形態）
まず、本発明の第１の実施形態について説明する。
図１は、本発明の第１の実施形態に係る通信システムＳ１の構成の一例を示す概略図である。
通信システムＳ１は、ＳＩＭ切替装置１と、電子機器２と、ＳＩＭ情報提供装置３と、を含んで構成される。ＳＩＭ切替装置１と電子機器２とは、有線により接続され通信を行う。また、電子機器２とＳＩＭ情報提供装置３とは、ネットワークＮＷを介して有線または無線により接続され通信を行う。ここで、電子機器２とは、タブレットＰＣやスマートフォンなどの多機能電子機器、携帯電話等のＳＩＭカードなどの識別情報が記憶された記憶媒体と接続することで外部との通信が可能となる電子機器である。以下の説明では、例えば、電子機器２がスマートフォンである場合について説明する。
【００１６】
ＳＩＭ切替装置１は、ネットワークに接続するためのＳＩＭ識別情報を記憶する。なお、ＳＩＭ切替装置１は、複数のＳＩＭカードを識別するために複数のＳＩＭ識別情報を記憶してもよい。また、ＳＩＭ切替装置１は、ダミーのＳＩＭ識別情報であるダミー識別情報を記憶する。ＳＩＭ切替装置１は、電子機器２から識別情報取得要求を受信すると、該識別情報取得要求に応じたＳＩＭ識別情報やダミーＳＩＭ識別情報を電子機器２に提供する。
ＳＩＭ切替装置１は、電子機器２と有線で接続される。例えば、ＳＩＭ切替装置１は、電子機器２と接続するための接続部（例えば、アダプタ）を、電子機器２のＳＩＭカードスロット（ＳＩＭカード装着部（非図示））に対して接触させることで接続する。なお、ＳＩＭ切替装置１は、ＳＩＭカードと同様の形状で、電子機器２のＳＩＭカードスロットに装着されることで、電子機器２と接続されてもよい。
【００１７】
電子機器２は、ＳＩＭ切替装置１から取得したＳＩＭ識別情報を用いてネットワークＮＷに接続し、通信を行う。また、電子機器２は、ＳＩＭ切替装置１から取得したダミーＳＩＭ識別情報を用いてネットワークＮＷに接続し、ＳＩＭ情報提供装置３からＳＩＭ識別情報を取得する。電子機器２は、ＳＩＭ情報提供装置３から取得したＳＩＭ識別情報を用いてネットワークＮＷに接続し、通信を行う。
【００１８】
ＳＩＭ情報提供装置３は、ダミーＳＩＭ識別情報に応じたＳＩＭ識別情報を記憶する。
また、ＳＩＭ情報提供装置３は、ダミーＳＩＭ識別情報に応じたＳＩＭ識別情報を提供する。具体的には、ＳＩＭ情報提供装置３は、電子機器２がダミーＳＩＭ識別情報を用いた接続を検出した場合に、該電子機器２に対してＳＩＭ識別情報を提供する。
【００１９】
図２は、本発明の第１の実施形態に係るＳＩＭ切替装置１の機能構成の一例を示す概略ブロック図である。
ＳＩＭ切替装置１は、電子機器接続部１１と、第１ＳＩＭ情報管理部１２と、第２ＳＩＭ情報管理部１３と、接続先制御部１４と、を含んで構成される。
【００２０】
電子機器接続部１１は、電子機器２と有線接続可能なインタフェースを備え、該インタフェースに対する電子機器２の接続を検出する。また、電子機器接続部１１は、電子機器２が接続されていることを検出すると、電子機器２から識別情報取得要求を受け付ける。
電子機器接続部１１は、電子機器２から受け付けた識別情報取得要求を接続先制御部１４に出力する。電子機器接続部１１は、接続先制御部１４から入力されるＳＩＭ識別情報またはダミーＳＩＭ識別情報を、識別情報取得要求に応じた識別情報として電子機器２に提供する。
【００２１】
第１ＳＩＭ情報管理部１２は、ＳＩＭ識別情報を記憶する。なお、第１ＳＩＭ情報管理部１２は、複数のＳＩＭ識別情報を記憶してもよい。
第２ＳＩＭ情報管理部１３は、ダミーＳＩＭ識別情報を記憶する。
ここで、ダミーＳＩＭ識別情報は、電子機器２がネットワークＮＷを介してＳＩＭ情報提供装置３に接続するためのＳＩＭ識別情報である。このダミーＳＩＭ識別情報を用いても電子機器２は、ＳＩＭ情報提供装置３以外に接続することができない。つまり、ダミーＳＩＭ識別情報は、ＳＩＭ情報提供装置３に接続するためのＳＩＭ識別情報である。
【００２２】
接続先制御部１４は、電子機器接続部１１から識別情報取得要求が入力されると、第１ＳＩＭ情報管理部１２に該識別情報取得要求に応じたＳＩＭ識別情報が記憶されているか否かを確認する。接続先制御部１４は、第１ＳＩＭ情報管理部１２が識別情報取得要求に応じたＳＩＭ識別情報を記憶している場合には、識別情報取得要求に応じたＳＩＭ識別情報を取得する。接続先制御部１４は、取得した識別情報取得要求に応じたＳＩＭ識別情報を、電子機器接続部１１を介して電子機器２に提供する。
一方、接続先制御部１４は、識別情報取得要求に応じたＳＩＭ識別情報が第１ＳＩＭ情報管理部１２に記憶されていないと判定した場合、該識別情報取得要求を用いて第２ＳＩＭ情報管理部１３が記憶するダミーＳＩＭ識別情報を取得する。接続先制御部１４は、取得した識別情報取得要求に応じたダミーＳＩＭ識別情報を、電子機器接続部１１を介して電子機器２に提供する。
【００２３】
ここで、第１の実施形態に係るＳＩＭ識別情報について説明する。
ＳＩＭ識別情報には、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｆｅｒ：電子機器２の全てのユーザに割り当てられる識別番号）、ＩＣＣＩＤ（ＩＣ  Ｃａｒｄ  Ｉｄｅｎｔｉｆｅｒ：ＩＣカードごとに固有な識別番号）、ＩＭＳＩに対応する電話番号などの識別情報が含まれる。
また、ＳＩＭ識別情報には、ＳＩＭ識別情報を電子機器２が正しく取得可能か否かを判断するための情報なども含まれている。
【００２４】
次に、第１の実施形態に係るダミーＳＩＭ識別情報について説明する。
ＳＩＭ識別情報には、接続制限情報が含まれる。接続制限情報は、ネットワークＮＷに対して制限なくアクセス可能であることを表す情報、ネットワークＮＷ内のＳＩＭ情報提供装置３に対してのみアクセス可能であることを表す情報、ネットワークＮＷに対してアクセス不可であることを表す情報のいずれかの情報が含まれる。
【００２５】
図３は、本発明の第１の実施形態に係るＳＩＭ識別情報の一例を示す説明図である。
例えば、ＳＩＭ識別情報が「ＡＡＡＡ」である場合、該ＳＩＭ識別情報を用いた電子機器２は、ネットワークＮＷに対して制限なくアクセス可能であり、ネットワークＮＷに接続された機器などと通信可能である。
また、例えば、ＳＩＭ識別情報が「ＢＢＢＢ」である場合、該ＳＩＭ識別情報を用いた電子機器２は、ネットワークＮＷ内のＳＩＭ情報提供装置３に対してのみアクセス可能であり、ＳＩＭ情報提供装置３と通信可能である。
また、例えば、ＳＩＭ識別情報が「ＣＣＣＣ」である場合、該ＳＩＭ識別情報を用いた電子機器２は、ネットワークＮＷに対してアクセス不可能であり、ネットワークＮＷへの接続が拒否され、ネットワークＮＷに接続された機器などと通信を行うことはできない。
なお、ＳＩＭ識別情報が「ＢＢＢＢ」である場合、該ＳＩＭ識別情報を用いた電子機器２がＳＩＭ情報提供装置３以外にアクセスしようとした場合には、ネットワークＮＷへの接続が拒否される。
【００２６】
このように、ネットワークＮＷでは、ＳＩＭ識別情報を用いた電子機器２のＳＩＭ情報を確認し、該電子機器２がネットワークＮＷへの事業者との契約状態などの接続条件を満たしているか否かを判断し、接続条件を満たしている場合には電子機器２のネットワークＮＷへの接続を許可する。
【００２７】
第１の実施形態では、ダミー識別情報のＳＩＭ識別情報が「ＢＢＢＢ」である場合のように、電子機器２に対してネットワークＮＷ内のＳＩＭ情報提供装置３に対してのみアクセス可能なＳＩＭ識別情報である場合について説明する。
【００２８】
図４は、本発明の第１の実施形態に係る通信システムＳ１の処理の一例を示すフローチャートである。
ステップＳ１０１において、電子機器２は、ＳＩＭ切替装置１に識別情報取得要求を送信する。ＳＩＭ切替装置１の電子機器接続部１１は、電子機器２から受信した識別情報取得要求を接続先制御部１４に出力する。
ステップＳ１０２において、ＳＩＭ切替装置１の接続先制御部１４は、第１ＳＩＭ情報管理部１２に識別情報取得要求に対応したＳＩＭ識別情報が記憶されているか否かを確認する。
第１ＳＩＭ情報管理部１２に識別情報取得要求に対応するＳＩＭ識別情報が記憶されていないと判定した場合（ステップＳ１０２；ＮＯ）、接続先制御部１４は、ステップＳ１０３の処理を行う。
【００２９】
ステップＳ１０３において、接続先制御部１４は、第２ＳＩＭ情報管理部に記憶されたダミーＳＩＭ識別情報を、電子機器接続部１１を介して電子機器２に送信（提供）する。
ステップＳ１０４において、電子機器２は、ＳＩＭ切替装置１から送信（提供）されたダミーＳＩＭ識別情報を用いてネットワークＮＷに接続する。また、電子機器２は、ダミーＳＩＭ識別情報で接続が許可された該ネットワークＮＷ内の（ネットワークＮＷに接続された）ＳＩＭ情報提供装置３に接続する。
ステップＳ１０５において、電子機器２は、ダミーＳＩＭ識別情報を用いて、ＳＩＭ情報提供装置３からＳＩＭ識別情報を取得する。
【００３０】
ステップＳ１０６において、電子機器２は、ＳＩＭ情報提供装置３から取得したＳＩＭ情報を、ＳＩＭ切替装置１の電子機器接続部１１を介して接続先制御部１４に出力する。
接続先制御部１４は、電子機器２から電子機器接続部１１を介して入力された、該ＳＩＭ識別情報を第１ＳＩＭ情報管理部１２に記憶させることでＳＩＭ識別情報を更新する。
【００３１】
ステップＳ１０７において、第１ＳＩＭ情報管理部１２に識別情報取得要求に対応するＳＩＭ識別情報が記憶されていると判定した場合（ステップＳ１０２；ＹＥＳ）や、ステップＳ１０６の処理をした後には、接続先制御部１４は、第１ＳＩＭ情報管理部１２に記憶されたＳＩＭ識別情報を、電子機器接続部１１を介して電子機器２に送信する。
【００３２】
このように、第１の実施形態におけるＳＩＭ切替装置１は、電子機器２と接続可能なＳＩＭ切替装置１であって、電子機器２の接続を検出する電子機器接続部１１と、電子機器２の第１ＳＩＭ識別情報または第２ＳＩＭ識別情報（ダミーＳＩＭ識別情報）を記憶する記憶部（第１ＳＩＭ情報管理部１２、第２ＳＩＭ管理部１３）と、電子機器２の要求に応じて第１ＳＩＭ識別情報または第２ＳＩＭ識別情報（ダミーＳＩＭ識別情報）のいずれかを提供する接続先制御部１４と、を備え、接続先制御部１４は、記憶部（第１ＳＩＭ情報管理部１２、第２ＳＩＭ管理部１３）に要求に応じた第１の識別情報が記憶されていないとき、または第１の識別情報が取得できないときに、第２の識別情報を電子機器２に提供する。
【００３３】
このようにすることで、電子機器と接続された記憶媒体の記憶内容を適宜変更、更新することができる。具体的には、予めＳＩＭ識別情報を持つＳＩＭカードを入手していない場合でも、ＳＩＭ識別情報を更新することができる。このため、ユーザの利便性を向上させることができる。
【００３４】
（第２の実施形態）
第１の実施形態では、例えばＳＩＭ切替装置１の内部に第１ＳＩＭ情報管理部１２や第２ＳＩＭ情報管理部１３を備える場合の一例について説明した。第２の実施形態では、第１ＳＩＭ情報管理部や第２ＳＩＭ情報管理部などのＳＩＭ情報管理部をＳＩＭ切替装置の外部に備える場合について説明する。
【００３５】
図５は、本発明の第２の実施形態に係るＳＩＭ切替装置１Ａの機能構成の一例を示す概略ブロック図である。
ＳＩＭ切替装置１Ａは、電子機器接続部１１と、接続先制御部１４と、第１ＳＩＭ接続部１５と、第２ＳＩＭ接続部１６と、を含んで構成される。なお、第１の実施形態と第２の実施形態とで同様である部分は、同一符号を付して説明を省略し、第１の実施形態と第２の実施形態とで異なる部分を中心に説明する。
【００３６】
第１ＳＩＭ接続部１５は、第１ＳＩＭ５と通信するためのインタフェースである。
第２ＳＩＭ接続部１６は、第２ＳＩＭ６と通信するためのインタフェースである。
ここで、第１ＳＩＭ５は、ＳＩＭ識別情報を書き込み可能に記憶する記憶媒体である。
また、第２ＳＩＭ６は、ＳＩＭ識別情報の更新時に使用される記憶媒体であり、ＳＩＭ識別情報更新用のダミーＳＩＭ識別情報を記憶する記憶媒体である。
【００３７】
接続先制御部１４は、電子機器接続部１１から識別情報取得要求が入力されると、第１ＳＩＭ接続部１５を介して、第１ＳＩＭ５に該識別情報取得要求に応じたＳＩＭ識別情報が記憶されているか否かを確認する。接続先制御部１４は、第１ＳＩＭ５が識別情報取得要求に応じたＳＩＭ識別情報を記憶している場合には、識別情報取得要求に応じたＳＩＭ識別情報を取得する。接続先制御部１４は、取得した識別情報取得要求に応じたＳＩＭ識別情報を、電子機器接続部１１を介して電子機器２に提供する。
一方、接続先制御部１４は、識別情報取得要求に応じたＳＩＭ識別情報が第１ＳＩＭ５に記憶されていないと判定した場合、該識別情報取得要求を用いて第２ＳＩＭ接続部１６を介して第２ＳＩＭ６が記憶するダミーＳＩＭ識別情報を取得する。接続先制御部１４は、取得した識別情報取得要求に応じたダミーＳＩＭ識別情報を、電子機器接続部１１を介して電子機器２に提供する。
【００３８】
このように、第２の実施形態におけるＳＩＭ切替装置１Ａは、電子機器２と接続可能なＳＩＭ切替装置１Ａであって、電子機器２の接続を検出する電子機器接続部１１と、前記電子機器の第１の識別情報または第２の識別情報を取得する取得部（第１ＳＩＭ接続部１５、第２ＳＩＭ接続部１６）と、電子機器２の要求に応じて電子機器の第１の識別情報または第２の識別情報のいずれかを提供する接続先制御部１４と、を備え、接続先制御部１４は、要求に応じた第１の識別情報が取得されていないとき、または第１の識別情報が取得できないときに、第２の識別情報を電子機器２に提供する。
【００３９】
このようにすることで、電子機器と接続された記憶媒体の記憶内容を適宜変更、更新することができる。具体的には、予めＳＩＭ識別情報を持つＳＩＭカードを入手していない場合でも、ＳＩＭ識別情報を更新することができる。このため、ユーザの利便性を向上させることができる。
【００４０】
なお、第２の実施形態では、第１ＳＩＭ５と第２ＳＩＭ６との２つのＳＩＭを用いる場合について説明したが、いずれか一方のみによって実現するようにしてもよいし、３つ以上の複数のＳＩＭを用いて実現するようにしてもよい。
【００４１】
（第３の実施形態）
第１の実施形態や第２の実施形態では、ＳＩＭ情報提供装置３がネットワークＮＷに接続されている場合の一例について説明した。第３の実施形態では、ＳＩＭ情報提供装置３がネットワークＮＷに接続されておらず、ＳＩＭ切替装置１ＢとＳＩＭ情報提供装置３との間で直接通信を行う場合の一例について説明する。
【００４２】
図６は、本発明の第３の実施形態に係る通信システムＳ２の構成の一例を示す概略図である。
通信システムＳ２は、ＳＩＭ切替装置１Ｂと、電子機器２Ｂと、ＳＩＭ情報提供装置３Ｂと、を含んで構成される。ＳＩＭ切替装置１Ｂと電子機器２Ｂとは、有線により接続され通信を行う。また、電子機器２Ｂは、ネットワークＮＷを介して有線または無線により接続されネットワークに接続された他の機器と通信を行う。
【００４３】
ＳＩＭ切替装置１Ｂは、ネットワークに接続するためのＳＩＭ識別情報を記憶する。なお、ＳＩＭ切替装置１Ｂは、複数のＳＩＭカードを識別するために複数のＳＩＭ識別情報を記憶してもよい。また、ＳＩＭ切替装置１Ｂは、ダミーのＳＩＭ識別情報であるダミー識別情報を記憶する。ＳＩＭ切替装置１Ｂは、電子機器２Ｂから識別情報取得要求を受信すると、該識別情報取得要求に応じたＳＩＭ識別情報やダミーＳＩＭ識別情報を電子機器２Ｂに提供する。
ここで、第３の実施形態に係るダミーＳＩＭ識別情報は、ネットワークＮＷへのアクセスが不可能であり、ネットワークＮＷを介した通信ができないものとする。
【００４４】
電子機器２Ｂは、ＳＩＭ切替装置１Ｂから取得したＳＩＭ識別情報を用いてネットワークＮＷに接続し、通信を行う。また、電子機器２Ｂは、ＳＩＭ切替装置１Ｂから取得したダミーＳＩＭ識別情報を用いてネットワークＮＷに接続を試みても、アクセス不可能である。つまり、電子機器２Ｂは、ＳＩＭ切替装置１Ｂを介してＳＩＭ情報提供装置３Ｂから取得したＳＩＭ識別情報を用いてネットワークＮＷに接続し、通信を行う。
【００４５】
ＳＩＭ情報提供装置３Ｂは、ＳＩＭ切替装置１Ｂと近距離通信を行う。近距離通信は、例えば、ＮＦＣ（Ｎｅａｒ  Ｆｉｅｌｄ  Ｒａｄｉｏ  Ｃｏｍｍｕｎｉｃａｔｉｏｎ）（登録商標）、Ｂｌｕｅｔｏｏｔｈ（登録商標）などを用いてもよい。
また、ＳＩＭ情報提供装置３Ｂは、ダミーＳＩＭ識別情報に応じたＳＩＭ識別情報を記憶する。また、ＳＩＭ情報提供装置３Ｂは、ＳＩＭ切替装置１Ｂから識別情報取得要求を受信すると、ＳＩＭ識別情報を提供する。具体的には、ＳＩＭ情報提供装置３Ｂは、ＳＩＭ切替装置１Ｂから識別情報取得要求を受信した場合に、電子機器２Ｂに対するＳＩＭ識別情報を、ＳＩＭ切替装置１Ｂに提供する。
【００４６】
図７は、本発明の第３の実施形態に係るＳＩＭ切替装置１Ｂの機能構成の一例を示す概略ブロック図である。
ＳＩＭ切替装置１Ｂは、電子機器接続部１１と、第１ＳＩＭ情報管理部１２と、第２ＳＩＭ情報管理部１３と、接続先制御部１４と、近距離通信部１７と、を含んで構成される。なお、第１の実施形態と第３の実施形態とで同様である部分は、同一符号を付して説明を省略し、第１の実施形態と第３の実施形態とで異なる部分を中心に説明する。
【００４７】
接続先制御部１４は、電子機器接続部１１から識別情報取得要求が入力されると、第１ＳＩＭ情報管理部１２に該識別情報取得要求に応じたＳＩＭ識別情報が記憶されているか否かを確認する。接続先制御部１４は、第１ＳＩＭ情報管理部１２が識別情報取得要求に応じたＳＩＭ識別情報を記憶している場合には、識別情報取得要求に応じたＳＩＭ識別情報を取得する。接続先制御部１４は、取得した識別情報取得要求に応じたＳＩＭ識別情報を、電子機器接続部１１を介して電子機器２Ｂに提供する。
【００４８】
一方、接続先制御部１４は、識別情報取得要求に応じたＳＩＭ識別情報が第１ＳＩＭ情報管理部１２に記憶されていないと判定した場合、該識別情報取得要求を用いて第２ＳＩＭ情報管理部１３が記憶するダミーＳＩＭ識別情報を取得する。接続先制御部１４は、取得した識別情報取得要求に応じたダミーＳＩＭ識別情報を、電子機器接続部１１を介して電子機器２Ｂに提供する。
【００４９】
また、接続先制御部１４は、電子機器接続部１１から識別情報取得要求が入力されると、該識別情報取得要求を、近距離通信部１７を介してＳＩＭ情報提供装置３Ｂに送信する。
また、接続先制御部１４は、近距離通信部１７を介して、ＳＩＭ情報提供装置３Ｂから識別情報取得要求に対するＳＩＭ識別情報が入力されると、該ＳＩＭ識別情報を第１ＳＩＭ情報管理部１２に記憶させ、ＳＩＭ識別情報を更新する。
【００５０】
図８は、本発明の第１の実施形態に係る通信システムＳ２の処理の一例を示すフローチャートである。
ステップＳ２０１において、電子機器２Ｂは、ＳＩＭ切替装置１Ｂに識別情報取得要求を送信する。ＳＩＭ切替装置１Ｂの電子機器接続部１１は、電子機器２Ｂから受信した識別情報取得要求を接続先制御部１４に出力する。
ステップＳ２０２において、ＳＩＭ切替装置１Ｂの接続先制御部１４は、第１ＳＩＭ情報管理部１２に識別情報取得要求に対応したＳＩＭ識別情報が記憶されているか否かを確認する。
第１ＳＩＭ情報管理部１２に識別情報取得要求に対応するＳＩＭ識別情報が記憶されていないと判定した場合（ステップＳ２０２；ＮＯ）、接続先制御部１４は、ステップＳ２０３の処理を行う。
【００５１】
ステップＳ２０３において、接続先制御部１４は、第２ＳＩＭ情報管理部に記憶されたダミーＳＩＭ識別情報を、電子機器接続部１１を介して電子機器２Ｂに送信（提供）する。
ステップＳ２０４において、ＳＩＭ切替装置１Ｂは、近距離通信部１７を介してＳＩＭ情報提供装置３Ｂに接続する。
ステップＳ２０５において、ＳＩＭ切替装置１Ｂの接続先制御部１４は、近距離通信部１７を介して、電子機器２Ｂから受信した識別情報取得要求を、ＳＩＭ情報提供装置３Ｂに送信する。ＳＩＭ切替装置１Ｂの接続先制御部１４は、近距離通信部１７を介して、識別情報取得要求に対応するＳＩＭ識別情報を取得する。
【００５２】
ステップＳ２０６において、接続先制御部１４は、ＳＩＭ情報提供装置３から取得したＳＩＭ情報を第１ＳＩＭ情報管理部１２に記憶させることでＳＩＭ識別情報を更新する。
【００５３】
ステップＳ２０７において、第１ＳＩＭ情報管理部１２に識別情報取得要求に対応するＳＩＭ識別情報が記憶されていると判定した場合（ステップＳ２０２；ＹＥＳ）や、ステップＳ２０６の処理をした後には、接続先制御部１４は、第１ＳＩＭ情報管理部１２に記憶されたＳＩＭ識別情報を、電子機器接続部１１を介して電子機器２Ｂに送信する。
【００５４】
このように、第３の実施形態におけるＳＩＭ切替装置１Ｂは、電子機器２Ｂと接続可能なＳＩＭ切替装置１Ｂであって、電子機器２Ｂの接続を検出する電子機器接続部１１と、電子機器２Ｂの第１ＳＩＭ識別情報または第２ＳＩＭ識別情報（ダミーＳＩＭ識別情報）を記憶する記憶部（第１ＳＩＭ情報管理部１２、第２ＳＩＭ管理部１３）と、電子機器２Ｂの要求に応じて第１ＳＩＭ識別情報または第２ＳＩＭ識別情報（ダミーＳＩＭ識別情報）のいずれかを提供する接続先制御部１４と、を備え、接続先制御部１４は、記憶部（第１ＳＩＭ情報管理部１２、第２ＳＩＭ管理部１３）に要求に応じた第１の識別情報が記憶されていないとき、または第１の識別情報が取得できないときに、第２の識別情報を前記電子機器２Ｂに提供する。
【００５５】
このようにすることで、電子機器と接続された記憶媒体の記憶内容を適宜変更、更新することができる。具体的には、予めＳＩＭ識別情報を持つＳＩＭカードを入手していない場合でも、ＳＩＭ識別情報を更新することができる。このため、ユーザの利便性を向上させることができる。
【００５６】
なお、第３の実施形態と第２の実施形態とを組み合わせて実現するようにしてもよい。
つまり、第３の実施形態における第１ＳＩＭ情報管理部や第２ＳＩＭ情報管理部などのＳＩＭ情報管理部をＳＩＭ切替装置の外部に備えるようにしてもよい。
また、この場合、第１ＳＩＭ５と第２ＳＩＭ６との２つのＳＩＭのいずれか一方のみによって実現するようにしてもよいし、３つ以上の複数のＳＩＭを用いて実現するようにしてもよい。
【００５７】
（１）電子機器と接続可能な情報処理装置であって、前記電子機器の接続を検出する接続部と、前記電子機器の第１の識別情報または第２の識別情報を記憶する記憶部と、前記電子機器の要求に応じて前記第１の識別情報または前記第２の識別情報のいずれかを提供する提供部と、を備え、前記提供部は、前記記憶部に前記要求に応じた前記第１の識別情報が記憶されていないとき、または前記第１の識別情報が取得できないときに、前記第２の識別情報を前記電子機器に提供する情報処理装置。
【００５８】
（２）電子機器と接続可能な情報処理装置であって、前記電子機器の接続を検出する接続部と、前記電子機器の第１の識別情報または第２の識別情報を取得する取得部と、
前記電子機器の要求に応じて前記電子機器の第１の識別情報または第２の識別情報のいずれかを提供する提供部と、を備え、前記提供部は、前記要求に応じた前記第１の識別情報が取得されていないとき、または前記第１の識別情報が取得できないときに、前記第２の識別情報を前記電子機器に提供する情報処理装置。
【００５９】
（３）前記提供部には更新部が含まれ、前記更新部は、前記第２の識別情報に基づいて前記電子機器が取得した第３の識別情報を、前記第１の識別情報として更新する（１）または（２）に記載の情報処理装置。
【００６０】
（４）前記提供部には更新部が含まれ、前記更新部は、前記要求に基づいて提供装置から第３の識別情報を取得し、取得した前記第３の識別情報を、前記第１の識別情報として更新する（１）または（２）に記載の情報処理装置。
【００６１】
（５）前記提供部は、前記電子機器に前記第２の識別情報を提供する場合には、前記電子機器に前記第２の識別情報を提供した後に第３の識別情報を提供し、前記電子機器は、少なくとも前記第３の識別情報を用いて通信する（１）から（４）のいずれか一項に記載の情報処理装置。
【００６２】
（６）電子機器と接続可能な第１の識別情報または第２の識別情報を記憶する記憶部を備える情報処理装置の情報処理方法であって、前記電子機器の接続を検出する接続過程と、前記電子機器の要求に応じて前記第１の識別情報または前記第２の識別情報のいずれかを提供する提供過程と、を有し、前記提供過程は、前記記憶部に前記要求に応じた前記第１の識別情報が記憶されていないとき、または前記第１の識別情報が取得できないときに、前記第２の識別情報を前記電子機器に提供する情報処理方法。
【００６３】
（７）電子機器と接続可能な情報処理装置の情報処理方法であって、前記電子機器の接続を検出する接続過程と、前記電子機器の第１の識別情報または第２の識別情報を取得する取得過程と、前記電子機器の要求に応じて前記電子機器の第１の識別情報または第２の識別情報のいずれかを提供する提供過程と、を有し、前記提供過程は、前記要求に応じた前記第１の識別情報が取得されていないとき、または前記第１の識別情報が取得できないときに、前記第２の識別情報を前記電子機器に提供する情報処理方法。
【００６４】
（８）電子機器と接続可能な第１の識別情報または第２の識別情報を記憶する記憶部を備える情報処理装置のコンピュータが、前記電子機器の接続を検出する接続ステップと、
前記電子機器の要求に応じて前記第１の識別情報または前記第２の識別情報のいずれかを提供する提供ステップと、を実行し、前記提供ステップは、前記記憶部に前記要求に応じた前記第１の識別情報が記憶されていないとき、または前記第１の識別情報が取得できないときに、前記第２の識別情報を前記電子機器に提供するプログラム。
【００６５】
（９）電子機器と接続可能な情報処理装置コンピュータが、前記電子機器の接続を検出する接続ステップと、前記電子機器の第１の識別情報または第２の識別情報を取得する取得ステップと、前記電子機器の要求に応じて前記電子機器の第１の識別情報または第２の識別情報のいずれかを提供する提供ステップと、を実行し、前記提供ステップは、前記要求に応じた前記第１の識別情報が取得されていないとき、または前記第１の識別情報が取得できないときに、前記第２の識別情報を前記電子機器に提供するプログラム。
【００６６】
なお、上述した実施形態におけるＳＩＭ切替装置１、１Ａ、１Ｂの一部または全部を、例えば、ＣＰＵ１０１をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＳＩＭ切替装置１、１Ａ、１Ｂに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００６７】
また、上述した実施形態におけるＳＩＭ切替装置１、１Ａ、１Ｂの一部又は全部を、ＬＳＩ（Ｌａｒｇｅ  Ｓｃａｌｅ  Ｉｎｔｅｇｒａｔｉｏｎ）等の集積回路として実現してもよい。ＳＩＭ切替装置１、１Ａ、１Ｂの各機能ブロックは個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【００６８】
以上、図面を参照してこの発明の各実施形態について詳しく説明してきたが、具体的な構成は上述のものに限られることはなく、この発明の要旨を逸脱しない範囲内において様々な設計変更等をすることが可能である。
【００６９】
また、第１の実施形態から第３の実施形態までのそれぞれの実施形態について説明したが、２つ以上の実施形態を適宜組み合わせてもよい。
【産業上の利用可能性】
【００７０】
本発明のいくつかの態様は、電子機器と接続された記憶媒体の記憶内容を変更、更新することが必要な情報処理装置、情報処理方法、及びプログラムなどに適用することができる。
【符号の説明】
【００７１】
Ｓ１、Ｓ２…通信システム、１、１Ａ、１Ｂ…ＳＩＭ切替装置、２、２Ｂ…電子機器、３、３Ｂ…ＳＩＭ情報提供装置、１１…電子機器接続部、１２…第１ＳＩＭ情報管理部、１３…第２ＳＩＭ情報管理部、１４…接続先制御部、１５…第１ＳＩＭ接続部、１６…第２ＳＩＭ接続部、１７…近距離通信部、５…第１ＳＩＭ、６…第２ＳＩＭ
【図１】
2017073234.tif 000003
【図２】
2017073234.tif 000004
【図３】
2017073234.tif 000005
【図４】
2017073234.tif 000006
【図５】
2017073234.tif 000007
【図６】
2017073234.tif 000008
【図７】
2017073234.tif 000009
【図８】
2017073234.tif 000010
【国際調査報告】
2017073234.tif 000011
2017073234.tif 000012
2017073234.tif 000013
2017073234.tif 000014